(57)【要約】【課題】  電子機器ユニットのサイズの小形化，設置の効率化，盤面設置スペースの削減を可能とする電子機器ユニットを得ること。【解決手段】  電子機器ユニットにおいて、外表面に複数個の角穴部２を有するユニットケース１と、角穴部２と係合するＬ字形突起部７を有する取付け足６とを備え、複数個の角穴部２のうち所望の角穴部２にＬ字形突起部７を選択的に係合させることにより、ユニットケース１と取付け足６とが着脱可能に一体となるもの。【選択図】        図１
2005167065.tif 000002
【特許請求の範囲】
【請求項１】
外表面に複数個の被係合穴部を有するユニットケースと、
前記被係合穴部と係合する係合部を有する取付け部材とを備え、
前記複数個の被係合穴部のうち所望の被係合穴部に前記係合部を選択的に係合させることにより、前記ユニットケースと前記取付け部材とが着脱可能に一体となることを特徴とする電子機器ユニット。
【請求項２】
レール上に複数個を配列して取付けることができるモジュ−ル型の電子機器ユニットにおいて、
外表面の対向する側壁に複数個の被係合穴部を有するユニットケースと、
前記被係合穴部と係合するＬ字形突起部及びねじ貫通穴部を有する取付け部材とを備え、
前記ユニットケースの前記複数個の被係合穴部のうち所望の被係合穴部に前記Ｌ字形突起部を選択的に差し込むことにより、前記ユニットケースと前記取付け部材とが着脱可能に一体となり、前記取付け部材を介して前記ユニットケースを押さえ込むことによって制御盤面にねじ止め固定されることを特徴とする電子機器ユニット。
【請求項３】
被係合穴部をユニットケースの対向する側壁４面に各々複数個設けることを特徴とする請求項１または２のいずれかに記載の電子機器ユニット。
【発明の詳細な説明】
【技術分野】
【０００１】
この発明は、電子部品を搭載する基板とそれを内部に収納するケースを備える電子機器ユニット、特にその取付け構造に関するものである。
【背景技術】
【０００２】
以下、電子機器ユニットの取付けとして、ねじによる固定の場合を主に説明していく。
従来の電子機器ユニットの取付け部は、ねじによる固定時に、ねじの頭部を受ける面を形成する必要から、ユニットケースの一部を抉ったように内側へ凹ませた形状か、または反対に、ユニットケースから外側に突出した形状か、このいずれかの形状の取付け部を、ユニットケースと一体構造として形成していた（例えば、特許文献１参照）。
【０００３】
【特許文献１】特開平１１−４６０７２号公報（図２）
【発明の開示】
【発明が解決しようとする課題】
【０００４】
以上に述べたような従来の電子機器ユニットの取付け構造では、以下に述べる問題点がある。
一般的に、電子機器ユニットは小形化や制御盤設置スペースの削減が強く望まれている。このような中でユニットケ−スの一部を内側へ凹ませてねじ固定部すなわち取付け部を一体形成すると、その分だけ、ユニットケース内部に収納される電子部品，基板等の実装スペースが実質的に減ってしまう。更にユニットケ−スの形状が複雑，異形状となり、それらの要因から結果的には電子機器ユニット全体としてのサイズが大きくなってしまう、といった問題があった。
【０００５】
また、ねじ固定部をユニットケ−ス外側に突出して一体形成すると、制御盤などのレール取付けにおいて、そのねじ固定部はレールやレールを固定するねじの頭と干渉しない位置に配置する必要があり、必然的に取付け位置が決まってしまう。また、突出したねじ固定部を有する電子機器ユニットの場合、複数個の電子機器ユニットを密接して配置させようとした際、隣り合う電子機器ユニットのそれぞれのねじ固定部が突出しているため、ユニットケ−ス本体同士の完全な密接配置は不可能であり、或いは各ユニットケ−スにその突出したねじ固定部を逃がす工夫をして密接取付けができたとしても、その場合、ねじ固定部はケースと一体であるため、両側から挟まれた内側の電子機器ユニットは着脱が困難となる、といった問題があった。
【０００６】
更に、ねじ固定部の位置が予め決まっていると、制御盤内の限られたスペースの中で電子機器ユニットの配置作業を行なう場合に、設置位置によっては他機器からの突起物の干渉等もあり、作業者の手や工具の操作スペースが不足するなど設置の自由度が制限されることがあった。
【０００７】
この発明は、上述の問題点を解決するためになされたもので、電子機器ユニットのサイズの小形化，設置の効率化，盤面設置スペースの削減を可能とする電子機器ユニットを得るものである。
【課題を解決するための手段】
【０００８】
この発明に係る電子機器ユニットは、外表面に複数個の被係合穴部を有するユニットケースと、前記被係合穴部と係合する係合部を有する取付け部材とを備え、前記複数個の被係合穴部のうち所望の被係合穴部に前記係合部を選択的に係合させることにより、前記ユニットケースと前記取付け部材とが着脱可能に一体となるものである。
【０００９】
また、レール上に複数個を配列して取付けることができるモジュ−ル型の電子機器ユニットであり、外表面の対向する側壁に複数個の被係合穴部を有するユニットケースと、前記被係合穴部と係合するＬ字形突起部及びねじ貫通穴部を有する取付け部材とを備え、前記ユニットケースの前記複数個の被係合穴部のうち所望の被係合穴部に前記Ｌ字形突起部を選択的に差し込むことにより、前記ユニットケースと前記取付け部材とが着脱可能に一体となり、前記取付け部材を介して前記ユニットケースを押さえ込むことによって制御盤面にねじ止め固定されるものである。
【００１０】
また、被係合穴部をユニットケースの対向する側壁４面に各々複数個設けるものである。
【発明の効果】
【００１１】
この発明によれば、取付け部材を着脱可能な構成としたことにより、ユニットケース本体に取付け部材を一体成型する必要がなくなり、実装する電子部品の面積が広く使えるために電子機器ユニットの外形サイズを小型化できる。
【００１２】
また、取付け部材を着脱可能な構成とし、ユニットケースの外表面には取付け部材の係合部と係合する被係合穴部を複数個有するようにしたことにより、電子機器ユニットの設置の位置に応じて、適宜、取付け部材をユニットケースの所望の位置の被係合穴部に係合させ、効率の良い電子機器ユニットの設置作業及び保守作業を行なうことができるようになる。また、ひいては、隣り合う電子機器ユニット同士の密接取付けが容易に行えるため、設置スペースの削減、及び複数台の電子機器ユニットの効率的なレイアウトが可能となる。
【発明を実施するための最良の形態】
【００１３】
実施の形態１．
この発明の第一の実施の形態による電子機器ユニットの取付け構造を、図１乃至図１０を用いて説明する。図１はこの発明の実施の形態による電子機器ユニットの概観図、図２はこの発明の実施の形態によるユニットケースの部分底面図、図３はこの発明の実施の形態による取付け足の斜視図、図４はこの発明の実施の形態による取付け足を着脱させる状態の断面図、図５はこの発明の実施の形態による取付け足のユニットケースへの固定時の断面図、図６及び図７はこの発明の実施の形態によるユニットケースの設置状態の平面図である。図８は一般的なユニットケースの設置状態の平面図、図９はこの発明の実施の形態によるユニットケースのレールへの取付け設置状態の平面図、図１０はこの発明の実施の形態による取付け足のユニットケースへの固定時の部分断面図である。
【００１４】
図において、１はユニットケース、２はユニットケース１の被係合穴部である角穴部、３はユニットケース１の面取り部、４はユニットケース１の段差部、５はユニットケース１の角穴部２の底面部、６は取付け部材である取付け足、７は取付け足６の係合部であるL字形突起部、８は取付け足６の弾性突起部、８aは取付け足６の弾性突起部垂直面、９は取付け足６のL字形突起部の底面部、１０は取付け足６の底面とユニットケース１の底面との段差、１１は取付け足６のねじ固定穴部である。１２はDINレールである。
【００１５】
図１および図２で示すユニットケース１の各側壁面に、図３に斜視図で示す取付け足６のL字形突起部７を引っ掛ける角穴部２が複数個配置されている。取付け足６は図４に示すように傾けながら、ユニットケース１の角穴部２にL字形突起部７を挿入し、次に取付け足６を水平に戻す過程において弾性突起部８がユニットケース面取り部３に接しながら弾性変形し、ユニットケースの段差部４に係合して図５に示すようにユニットケース１と取付け足６が一体として組み合わされる。そして取付け足６は図６または図７に示すようにユニットケース１の対向する側壁に少なくとも各１個以上挿入して、取付け足６のねじ固定穴部１１にねじを通し電子機器ユニットを制御盤面に固定する。
【００１６】
電子機器ユニットは、図５において段差１０で示すように、取付け足６の底面はユニットケース１の底面よりケースの製造寸法公差を考慮して僅かに０．２ｍｍ浮く寸法となっている。これは取付け足６のねじ固定穴部１１におねじを通して締付けることにより、取付け足６は取付け盤面に向かって０．２ｍｍ下がり密接しようとし、ユニットケース１の角穴部２の底面部５の面を取付け足６のL字形突起部７の底面部９で押す力が働き、この時ユニットケースを僅かに変形することでガタなく固定される。
【００１７】
また、図４，図５に示すように、取付け足６の弾性突起部８は先端をＲ形状としており、ユニットケース１の面取り部３に接する抵抗を減らすと共にユニットケース１の段差部４にＲ形状面がすべり込むように係合することで取付け足６はワンタッチで取付けられる。更に取付け足６のＬ字形突起部７と弾性突起部８との距離はユニットケース１の角穴部２の底面部５とユニット段差部４の距離より小さくすることにより弾性突起部８には常に元の形状に戻ろうとするテンションが働く状態となっているため、取付け足６とユニットケース１とのガタつきを防止している。
【００１８】
複数台の電子機器ユニットを列設しようとする場合に、取付け足６が、図８のように配置されていると、隣りのユニットケース１に干渉するため密接状態での取付けができない。
しかし、この実施の形態の電子機器ユニットの場合、ユニットケース１の各側面に、実際に必要上取付ける取付け足６の個数より多い数の角穴部２を設けており、取付け足６を着脱し、所望の位置に付け替えることができる。そこで、上述の図６または図７のように、密接させたい面と違う面に必要に応じて取付け足６をユニットケース１の各側壁面に配置された角穴部２へ付け替えすることにより、ユニットケース１同士が干渉することなく密接取付けが可能となる。
【００１９】
また、図９はDINレール１６による取付け設置状態を示し、この場合、取付け足６は不要であるが、この発明の取付け足６はワンタッチで取外しが可能なため、突出するねじ固定部すなわち取付け足６がなく、DINレール１６を用いた場合におけるユニットケース１の密接取付けも可能となっている。
【００２０】
取付け足６の取外しは、図４の状態となるように傾ければ弾性突起部８の先端がＲ形状によりユニットケースの段差部４を乗り越え易くなっておりワンタッチで行うことができる。なお、逆に取付け足を外れにくくする方法としては、図１０の弾性突起部８の先端Ｒ形状部の根元に垂直面８ａを形成することで弾性突起部８がたわみにくくなり、それを可能とすることができる。
【図面の簡単な説明】
【００２１】
【図１】この発明の実施の形態による電子機器ユニットの概観図。
【図２】この発明の実施の形態によるユニットケースの部分底面図。
【図３】この発明の実施の形態による取付け足の斜視図。
【図４】この発明の実施の形態による取付け足を着脱させる状態の断面図。
【図５】この発明の実施の形態による取付け足のユニットケースへの固定時の断面図。
【図６】この発明の実施の形態によるユニットケースの設置状態の平面図。
【図７】この発明の実施の形態によるユニットケースの別の設置状態の平面図。
【図８】一般的なユニットケースの設置状態の平面図。
【図９】この発明の実施の形態によるユニットケースのレールへの取付け設置状態の平面図。
【図１０】この発明の実施の形態による取付け足のユニットケースへの固定時の部分断面図。
【符号の説明】
【００２２】
１  ユニットケース
２  角穴部
６  取付け足
７  L字形突起部
８  弾性突起部
１１  ねじ固定穴部
【図１】
2005167065.tif 000003
【図２】
2005167065.tif 000004
【図３】
2005167065.tif 000005
【図４】
2005167065.tif 000006
【図５】
2005167065.tif 000007
【図６】
2005167065.tif 000008
【図７】
2005167065.tif 000009
【図８】
2005167065.tif 000010
【図９】
2005167065.tif 000011
【図１０】
2005167065.tif 000012